(57)【特許請求の範囲】
【請求項１】
ケーシングで入口と弁室と出口を形成し、弁室と出口を連通する弁口を弁室の下部に形成し、弁室内に設けられた支持孔に回転可能に支持された揺動軸にレバーを連結し、弁室内の液位に応じて浮上降下するフロートをレバーに連結すると共に弁口を開閉する弁体をレバーに連結したものにおいて、揺動軸を断面三角形に形成して該三角形の第１の頂点をフロートの中心に向けて第２の頂点を第１の頂点よりもフロートから遠ざかる斜め上方に向けて第３の頂点を第１の頂点よりもフロートから遠ざかる斜め下方に向けてレバーに連結し、弁体が弁口を閉じる位置から更にレバーが閉弁方向に回転したときに第１の頂点と第２の頂点の間の揺動軸上面が当接する上ストッパ面を支持孔に形成したことを特徴とするレバーフロート式ドレントラップ。
【発明の詳細な説明】
【技術分野】
【０００１】
本発明は、蒸気配管系や圧縮空気配管系やガス配管系に発生するドレンをフロートを用いて自動的に排出するレバーフロート式ドレントラップに関する。
【背景技術】
【０００２】
従来のレバーフロート式ドレントラップは、ケーシングで入口と弁室と出口を形成し、弁室と出口を連通する弁口を弁室の下部に形成し、弁室内に設けられた支持孔に回転可能に支持された揺動軸にレバーを連結し、弁室内の液位に応じて浮上降下するフロートをレバーに連結すると共に弁口を開閉する弁体をレバーに連結したもので、弁室内の液位に応じて浮上降下するフロートで揺動軸と共にレバーを回転させて弁体で弁口を開閉することによりドレンを自動的に排出するものである。
【０００３】
上記従来のレバーフロート式ドレントラップにおいては、配管系でウォータハンマ等が発生して弁室内の圧力や液位が急激に変動したときに、弁体が弁口を閉じる位置から更にレバーが閉弁方向に回転し、フロートが弁室底壁に衝突して損傷する問題点があった。
【特許文献１】特開２００５−３６９０１
【発明の開示】
【発明が解決しようとする課題】
【０００４】
解決しようとする課題は、フロートの損傷を防止できるレバーフロート式ドレントラップを提供することである。
【課題を解決するための手段】
【０００５】
本発明は、ケーシングで入口と弁室と出口を形成し、弁室と出口を連通する弁口を弁室の下部に形成し、弁室内に設けられた支持孔に回転可能に支持された揺動軸にレバーを連結し、弁室内の液位に応じて浮上降下するフロートをレバーに連結すると共に弁口を開閉する弁体をレバーに連結したものにおいて、揺動軸を断面三角形に形成して該三角形の第１の頂点をフロートの中心に向けて第２の頂点を第１の頂点よりもフロートから遠ざかる斜め上方に向けて第３の頂点を第１の頂点よりもフロートから遠ざかる斜め下方に向けてレバーに連結し、弁体が弁口を閉じる位置から更にレバーが閉弁方向に回転したときに第１の頂点と第２の頂点の間の揺動軸上面が当接する上ストッパ面を支持孔に形成したことを特徴とする。
【発明の効果】
【０００６】
本発明は、揺動軸を断面三角形に形成して該三角形の第１の頂点をフロートの中心に向けて第２の頂点を第１の頂点よりもフロートから遠ざかる斜め上方に向けて第３の頂点を第１の頂点よりもフロートから遠ざかる斜め下方に向けてレバーに連結し、弁体が弁口を閉じる位置から更にレバーが閉弁方向に回転したときに第１の頂点と第２の頂点の間の揺動軸上面が当接する上ストッパ面を支持孔に形成したものであるので、フロートが弁室底壁に衝突する前に揺動軸上面が支持孔の上ストッパ面に当接することにより、フロートが弁室底壁に衝突することを防止でき、フロートが損傷することを防止できるという優れた効果を生じる。
【発明を実施するための最良の形態】
【０００７】
本発明は、揺動軸を断面三角形に形成して該三角形の第１の頂点をフロートの中心に向けて第２の頂点を第１の頂点よりもフロートから遠ざかる斜め上方に向けて第３の頂点を第１の頂点よりもフロートから遠ざかる斜め下方に向けてレバーに連結し、弁体が弁口を閉じる位置から更にレバーが閉弁方向に回転したときに第１の頂点と第２の頂点の間の揺動軸上面が当接する上ストッパ面を支持孔に形成したものである。そのため、フロートが弁室底壁に衝突する前に揺動軸上面が支持孔の上ストッパ面に当接することにより、フロートが弁室底壁に衝突することを防止でき、フロートが損傷することを防止できる。
【実施例１】
【０００８】
上記の技術的手段の具体例を示す実施例を説明する（図１と図２参照）。本発明のレバーフロート式ドレントラップは、入口１と出口２を有する本体３に蓋体４をボルト５で締結して内部に弁室６を有するケーシングを構成する。弁室６と出口２を連通する第１弁口７及び第２弁口８を有する弁座部材９を弁室６の下部の本体３に図示しないねじにより取り付ける。入口１は弁室６の下部に開口し、出口２は第１弁口７及び第２弁口８を介して弁室６の下部に開口する。
【０００９】
弁座部材９に図示しないねじにより取り付けた支持部材１０の支持孔１１に揺動軸１２を回転可能に支持する。揺動軸１２の回転に伴って回転するように揺動軸１２にレバー１３の右端部を嵌合して連結する。レバー１３の左端に弁室６内の液位に応じて浮上降下する中空球形のフロート１４を連結する。揺動軸１２は断面三角形で三角形の一つの頂点をフロート１４の中心に向けてレバー１３に連結する。レバー１３の右端に揺動軸１２と平行な連結軸１５を支持し、連結軸１５に連結棒１６の上部を回転可能に連結する。連結棒１６の下部は弁体１７の弁棒１８の上端部に支持された揺動軸１２と平行な弁軸１９に回転可能に連結する。
【００１０】
弁体１７は第１弁口７を下方の出口２側から開閉する第１弁体２０と、第２弁口８を下方の弁室６側から開閉する第２弁体２１と、第１弁体１８と第２弁体１９を連結する弁棒１８とから構成する。第１弁体２０及び第２弁体２１が第１弁口７及び第２弁口８を閉じる位置からレバー１３が更に閉弁方向に回転したときに揺動軸１２上面が当接する上ストッパ面２２を支持孔１１に形成し、第１弁体２０及び第２弁体２１が第１弁口７及び第２弁口８を全開した位置から更にレバー１３が閉弁方向に回転したときに揺動軸１２下面が当接する下ストッパ面２３を支持孔１１に形成する。
【００１１】
弁室６内の液位が低い場合は、図１に示すようにフロート１４は降下し、第１弁体２０及び第２弁体２１が第１弁口７及び第２弁口８を閉じている。このとき、揺動軸１２上面は支持孔１１の上ストッパ面２２に当接していない。配管系でウォータハンマ等が発生し弁室６内の圧力や液位が急激に変動してレバー１３が更に閉弁方向に回転すると、フロート１４が弁室６の底壁に当接する前に揺動軸１２上面が支持孔１１の上ストッパ面２２に当接してフロート１４の損傷を防止する。入口１から流入するドレンによって弁室６内の液位が上昇すると、フロート１４が上動してレバー１３が揺動軸１２を中心に時計回り方向に回転する。このレバー１３の回転により、連結棒１６を介して弁体１７が下動して第１弁体２０及び第２弁体２１が第１弁口７及び第２弁口８を開く。これにより、弁室６のドレンを出口２から排出する。図２に示すように第１弁体２０及び第２弁体２１が第１弁口７及び第２弁口８を全開した位置において、揺動軸１２下面は支持孔１１の下ストッパ面２３に当接していない。配管系でウォータハンマ等が発生し弁室６内の圧力や液位が急激に変動してレバー１３が更に開弁方向に回転すると、フロート１４が弁室６の頂壁に当接する前に揺動軸１２下面が支持孔１１の下ストッパ面２３に当接してフロート１４の損傷を防止する。
【００１２】
ドレンの排出により弁室６内の液位が低下すると、フロート１４が下動してレバー１３が揺動軸１２を中心に反時計回り方向に回転する。このレバー１３の回転により、連結棒１６を介して弁体１７が上動して第１弁体１８及び第２弁体１９が第１弁口７及び第２弁口８を閉じる。これにより、気体の漏出を防止する。
【図面の簡単な説明】
【００１３】
【図１】本発明のレバーフロート式ドレントラップの閉弁時の断面図。
【図２】本発明のレバーフロート式ドレントラップの全開弁時の断面図。
【符号の説明】
【００１４】
１  入口
２  出口
３  本体
４  蓋体
６  弁室
７  第１弁口
８  第２弁口
１０  支持部材
１１  支持孔
１２  揺動軸
１３  レバー
１４  フロート
１７  弁体
２０  第１弁体
２１  第２弁体
２２  上ストッパ面
２３  下ストッパ面
【図１】
0005112809.tif 000002
【図２】
0005112809.tif 000003